(57)【要約】【課題】リールユニットのような遊技装置の着脱操作が容易に行なえる遊技機を提供することを目的とする。【解決手段】本発明に係るスロットマシン１は、スラント型遊技機を構成する筐体２と、この筐体２に開閉自在に設けられる開閉扉１０と、筐体２内に設けられた載置台４０に対して着脱自在に装着されるリールユニット５とを備えている。そして、載置台４０を、開閉扉１０に対して、略直角となるように筐体２内に設置したことを特徴とする。【選択図】    図３
2005131372.tif 000002
【特許請求の範囲】
【請求項１】
筐体と、
この筐体に開閉自在に設けられる開閉扉と、
前記筐体内に設けられた載置台に対して着脱自在に装着される遊技装置と、
を有するスラント型の遊技機において、
前記載置台を、前記開閉扉に対して、略直角となるように筐体内に設置したことを特徴とする遊技機。
【請求項２】
遊技に必要な遊技装置を収容する筐体と、該筐体における前記遊技装置の収容部に備えられた載置台と、前記収容部の開口部を閉塞可能で上り傾斜状に配置されている開閉扉とを有する遊技機であって、
前記載置台が、前記開口部側よりも奥側が下る下り傾斜構造を有することを特徴とする遊技機。
【請求項３】
前記開口部からの最短距離が、前記遊技装置の高さよりも大きくなるようにして、前記載置台が配置されていることを特徴とする請求項２に記載の遊技機。
【発明の詳細な説明】
【技術分野】
【０００１】
本発明は、各種の遊技が行なえる遊技機に関し、詳細には、着座して遊技が行なえる遊技機（スラント型の遊技機と称する）に関する。
【背景技術】
【０００２】
一般的に、遊技機には、その遊技の態様、及びそのような遊技を実行する遊技装置を組み込んでいる筐体に関して様々な形態のものが知られている。例えば、遊技機の一つとして知られているスロットマシンには、特許文献１に開示されているように、着座して遊技するタイプ（スラント型）や、特許文献２に開示されているように、立って遊技するタイプ（アップライト型）がある。
【０００３】
この種のスロットマシンは、遊技装置として、３つの回転リールを備えたリールユニット（遊技装置）を備えており、このリールユニットは、遊技者から視認されるように安定した状態で筐体内に設置されている。例えば、上記した特許文献２に開示されているようなアップライト型のスロットマシンでは、筐体内部を上下に二分するように設けられた略水平な載置台（ミドルボードと称することもある）の上に着脱可能に据え付けられている。
【特許文献１】特開２００３−６７８１０号公報
【特許文献２】特開２００１−１９８２６５号公報
【発明の開示】
【発明が解決しようとする課題】
【０００４】
ところが、上記したスラント型の遊技機では、アップライト型と同じように載置台を水平状に設置すると、以下のような問題が生じる。  
スラント型の遊技機では、遊技者は、椅子等に着座した状態で、上方から遊技領域を視認する。このため、遊技領域が形成される部分は、特許文献１に開示されているように、手前から後方に向けて次第に上昇する傾斜状に構成されている。そして、このような遊技領域が形成される部分は、通常、開閉可能な開閉扉による開閉可能構造を有し、この開閉扉を開けると、遊技装置の収容部が現れ、遊技装置を出し入れできるようになっている。すなわち、開閉扉の内側に開閉扉と同様に傾斜した開口部があり、その開口部を介して、奥側の収容部に遊技装置の出し入れを行ない、載置台に対する遊技装置の着脱操作を行なえるようになっている。
【０００５】
ところが、開口部が上り傾斜状になっているにもかかわらず、載置台が水平に設置されていると、有効に活用可能な収容部の大きさが狭まり、遊技装置の着脱操作が行ない難くなるという問題がある。具体的には、作業者が遊技装置を出し入れして着脱操作を行なうときは遊技装置を載置台に沿った向きに移動させる傾向がある。そのため、例えば、図６に示すように、開閉扉９９を開放し、高さＨｐの開口部１００を通して遊技装置の着脱操作を行なうときには、遊技装置を図の矢印ｆの方向に移動させるので、高さＨｐのうちの、正面から見た見かけの高さｈｐ（開口部１００から載置台１０２までの最短距離）分しか有効に用いることができなくなってしまう。つまり、通常、開口部１００の高さＨｐを遊技装置の高さに対応した大きさに設定していても、遊技装置の着脱操作を行なおうとするときに載置台１０２が邪魔になるために、高さＨｐを充分に生かすことができなくなり、遊技装置の出し入れが行ない難くなるという問題があった。
【０００６】
本発明は、上記したように、スラント型の遊技機特有の問題点に着目してなされたものであり、リールユニットのような遊技装置の着脱操作が容易に行なえる遊技機を提供することを目的とする。
【課題を解決するための手段】
【０００７】
上記した目的を達成するために、請求項１に係る発明は、筐体と、この筐体に開閉自在に設けられる開閉扉と、前記筐体内に設けられた載置台に対して着脱自在に装着される遊技装置とを有するスラント型の遊技機において、前記載置台を、前記開閉扉に対して、略直角となるように筐体内に設置したことを特徴としている。
【０００８】
このような構成によれば、開閉扉を開けて、筐体内部に設置されている遊技装置を着脱する場合、載置台が開閉扉（開閉扉によって閉塞される開口）に対して略直角となるように設置されていることから、載置台に沿って遊技装置を移動させると、その開口幅を最大限利用することが可能となり、着脱作業が容易に行なえるようになる。すなわち、通常、作業者は、載置台に沿うようにして遊技装置を移動させることから、その開口幅全体が有効に活用されるようになる。なお、この場合、載置台は、開閉扉に対して直角に設置されている構成はもちろん、開口幅が有効に利用できて、遊技装置の引き出し操作、及び挿入操作が行ない易い程度、具体的には、直角方向に対して±３０°程度以内傾いていても良い。
【０００９】
また、本発明に係る遊技機は、請求項２に記載されているように、遊技に必要な遊技装置を収容する筐体と、該筐体における前記遊技装置の収容部に備えられた載置台と、前記収容部の開口部を閉塞可能で上り傾斜状に配置されている開閉扉とを有しており、前記載置台が、前記開口部側よりも奥側が下る下り傾斜構造を有することを特徴とする。
【００１０】
このような構成によれば、遊技装置を載置する載置台が下り傾斜構造を有するので、収容部における載置台の上側の空間を広く確保することが可能となる。なお、このような構造の遊技機においても、前記載置台は、閉鎖状態にある前記開閉扉とのなす角度が略直角（９０°±３０°）程度に設置されていることが好ましい。このような角度に設定することで、載置台に沿って遊技装置を移動させるにあたり、開口部における開口幅を最大限利用することが可能となり、着脱作業が容易に行なえるようになる。
【００１１】
また、請求項３に係る発明は、前記開口部からの最短距離が、前記遊技装置の高さよりも大きくなるようにして、前記載置台が配置されていることを特徴とする。
【００１２】
このような構成によれば、遊技装置を出し入れするときに、遊技装置が開口部にぶつかることもなく、載置台がリールユニットの着脱操作の邪魔になることはない。
【発明の効果】
【００１３】
本発明の遊技機によれば、スラント型の遊技機において、開閉扉を開けて遊技装置を着脱操作する際、遊技装置の載置台が開閉扉に対して略直角に設置されていることから、開口部を最大限利用することができ、遊技装置の着脱操作が容易に行なえるようになる。
【発明を実施するための最良の形態】
【００１４】
以下、本発明に係る遊技機の一実施形態を図１から図５を参照して具体的に説明する。なお、以下の実施形態では、遊技機として、スラント型のスロットマシンを例示して説明する。  
これらの図において、図１は、本実施形態に係るスロットマシンの一例を示した斜視図であり、図２は、開閉扉を開けた状態を示す斜視図、図３は、開閉扉を開けてリールユニットを筐体内に組み込む状態を示す側面図、図４は、リールユニット及び載置台をスロットマシンの背面側から見た図、そして、図５は、図１に示すスロットマシンの開閉扉の閉鎖状態を示す斜視図である。
【００１５】
本実施形態に係るスラント型のスロットマシン１は、筐体２を備えており、この筐体内の内部空間（収容部）Ｓには、それぞれ図柄が描かれた３個の回転リール３Ｌ，３Ｃ，３Ｒを横一列に回転可能に配設したリールユニット５（遊技装置）が組み込まれている。
【００１６】
前記筐体２には、着座した状態で回転リール３Ｌ，３Ｃ，３Ｒが視認し易いように、水平方向に対して後方側が上昇するように傾斜した開閉可能な開閉扉１０を備えており、前記各回転リール３Ｌ，３Ｃ，３Ｒは、この開閉扉１０の略中央領域に形成された３つの窓部１０Ｌ，１０Ｃ，１０Ｒを介して視認できるように前記収容部Ｓ内に配置されている。この場合、本実施形態の開閉扉１０は、幅方向（左右方向）に開閉するように筐体２に回動可能に支持されると共に、遊技者（図示せず）がスロットマシン１の手前側に着座した状態で、上方から見下ろせる位置に配置されている。前記筐体２には、傾斜した矩形の開口部Ｐが形成されており、前記開閉扉１０は、この開口部Ｐを閉塞可能な大きさを有すると共に、開放されることで開口部Ｐが露出するようになっている。
【００１７】
そして、開閉扉１０は、回転リール３Ｌ，３Ｃ，３Ｒを視認し易いように、上側が背面方向に倒れ、手前側端部１０ａから後側端部１０ｂに向かって上るような上り傾斜状に配置されている。すなわち、前記開口部Ｐを含む面、及び開口部Ｐを閉鎖する開閉扉１０は、筐体２の底部２ａに沿った方向（水平方向）を示す基準線Ｇよりも傾斜角α１（０＜α１＜９０°）で傾斜した上り傾斜構造を有している。本実施形態におけるスロットマシン１では、傾斜角α１を約４０°±１０°の範囲に設定している。これは、遊技者が開閉扉１０を介してリールユニット５を見易くするため、及び後述する液晶表示装置１２の視野角を考慮したものである。
【００１８】
前記収容部Ｓは、横幅及び高さが共にリールユニット５よりも大きい空間であって、図５に示すように、開閉扉１０の法線Ｊの方向に沿って開口部Ｐから内側に設けられている。また、収容部Ｓには、後述する台座部１３側に載置台４０が固定されている。
【００１９】
載置台４０は、図４に示すように、収容部Ｓの横幅に対応した幅４０ａと、奥行きに対応した高さ４０ｂとを有する概ね平板状の部材であって、図３、図５に示すように、開口部Ｐ側よりも奥側が下るような下り傾斜状に配置された下り傾斜構造を有している。すなわち、載置台４０は、図３に示すように、基準線Ｇよりも傾斜角α２（−９０°＜α２＜０°）で傾斜した傾斜構造を有している。
【００２０】
また、載置台４０は、開口部Ｐを閉鎖している閉鎖状態の開閉扉１０と略直交する方向に配置された交差構造を有している。本実施形態では、図５に示すように、載置台４０は、開閉扉１０の略直交する交差方向に伸びる直線Ｊと収容部Ｓ内で交差しないように、開閉扉１０に対して略直角となるように配置されている。ただし、後述する開放角θを狭めると、載置台４０が直線Ｊと交差することもある。さらに、図３に示すように、載置台４０は、リールユニット５の高さＨ１よりも開口部Ｐの奥側の縁部Ｐ１からの最短距離Ｈ２（縁部Ｐ１から載置台４０を含む平面までの垂線の長さ）が大きくなるようにして（Ｈ２＞Ｈ１）、傾斜角α２が設定されている。なお、載置台４０は、据え付けられるリールユニット５の安定性を考慮して平板状の構成を有している。
【００２１】
一方、前記筐体２は、開閉扉１０の下方に、開閉扉よりも緩やかな（傾斜角α３；０＜α３＜α１）傾斜面を具備した台座部１３を備えており、この台座部１３には、遊技を行なう上で必要とされる各種の操作部材（ＢＥＴボタン、リール回転ボタン、リール停止ボタン等の各種ボタンやコインを投入する投入口等）が配置されている。
【００２２】
前記台座部１３の手前側には、略水平面を有するアームレスト１５が設けられており、遊技者が図示されていない椅子に座った状態で、腕をアームレスト１５に載せて台座部１３に設けられた各種の操作部材が操作し易いように構成されている。
【００２３】
また、前記筐体２は、開閉扉１０の後方側に底部２ａから垂直に起立している２枚の側面パネル部１７を備えており、これら側面パネル部１７の間には、例えば、入賞図柄の組み合せや配当等を表示する配当表１８や、遊技中に遊技の興趣を増大するため、演出用の効果音を発音するスピーカ２０Ｌ，２０Ｒ等が設けられている。
【００２４】
なお、上記したスロットマシンには、更に、遊技の興趣を増大するための各種の装置が設けられていても良く、例えば、前記開閉扉１０に、回転リール３Ｌ，３Ｃ，３Ｒが透過して視認できる液晶表示装置１２（透過型の液晶表示装置）を配置し、ここで、遊技に応じて各種の動的な演出画像を表示したり、遊技者が遊技を有利に進めるために必要な情報の表示等を行なうようにしても良い。この場合、透過型の液晶表示装置は、保護ガラス、表示板、液晶パネル、導光板、反射フィルム、蛍光ランプ、及び液晶パネル駆動用のＩＣを搭載したテーブルキャリアパッケージ（ＴＣＰ）等を具備して構成されており、窓部１０Ｌ，１０Ｃ，１０Ｒに対応した領域で透過表示を行なうようになっている。
【００２５】
前記リールユニット５は、図２、図４に示すような各リール３Ｌ，３Ｃ，３Ｒを等間隔で回転可能に支持するフレーム３０を備えており、このフレーム３０には、各回転リールを回転駆動するためのステッピングモータや、各リールを照明する照明装置、各リールの位置を検出するセンサ装置等の各種の構成部品（図示せず）が保持されている。
【００２６】
前記フレーム３０は、ベース部３０ａを具備しており、このベース部３０ａは、幅及び奥行きともに載置台４０よりも小さい大きさを有し、載置台４０に据え付けることができるようになっている。
【００２７】
上記したような構成によれば、スロットマシン１は収容部Ｓの内側に、載置台４０が下り傾斜状に配置されているので、収容部Ｓにおいて、載置台４０よりも上側に広い空間を確保することができる。従って、リールユニット５を載置台４０に沿って移動させようとするときに載置台４０よりも上側の広い空間を利用することができ、リールユニット５の出し入れを容易に行なうことができる。
【００２８】
しかも、載置台４０を下り傾斜状に配置したことにより、開閉扉１０と載置台４０とのなす角（開放角）θが拡大されるので、開口部Ｐを通してリールユニット５を出し入れし、着脱操作を行なうときに、作業者は開口部Ｐの高さＨをほぼそのまま生かすことができる。また、リールユニット５の高さＨ１よりも、開口部Ｐの奥側の縁部Ｐ１からの最短距離Ｈ２が大きくなるようにしていることから、リールユニット５を出し入れするときに、リールユニット５が開口部Ｐにぶつかることもなく、載置台４０がリールユニット５の着脱操作の邪魔になることはない。
【００２９】
このように、スロットマシン１では、作業者が載置台４０に沿って図３における矢印Ｆで示す方向にリールユニット５を移動させるときに、開口部Ｐの高さＨを略最大限利用することが可能となって、リールユニット５の着脱作業が容易に行なえるようになる。
【００３０】
載置台４０は、載置台４０に対するリールユニット５の据え付け、及び取り外し作業の容易性を考慮すると、図５に示すように、開放角θが略９０°になる（開放扉１０と載置台４０とが略直角）ようにして設置するのが望ましい。ただし、通常、リールユニット５は、開口部Ｐの大きさよりも、ある程度小さい大きさで形成されており、また、通常、作業者は、載置台４０に沿ってリールユニット５の着脱操作を行なうことから、作業性が低下しない範囲であれば、開放角θを変えることができる（９０°±３０°程度）。
【００３１】
前記リールユニット５の載置台４０に対する据え付け方法は、各種の方法で行なうことが可能である。例えば、図４の模式図に示すように、載置台４０に複数のネジ穴４１を形成すると共に、リールユニット５のベース部３０ａに、前記ネジ穴４１に対応するように複数のネジ挿通孔３０ｂを形成しておき、ベース部３０ａのネジ挿通孔３０ｂを載置台４０のネジ穴４１に位置合わせした状態でネジ４５を嵌め込んでネジ止めすることにより、リールユニット５を載置台４０に保持する。或いは、ベース部３０ａにフックのような係止部材を形成しておき、これを載置台４０に係止させる等しても良い。また、リールユニット５のフレーム３０の形状によって、そのフレームを、載置台４０や筐体内に形成された当接部（図示しない）に当て付けて保持状態を安定させるようにしても良い。
【００３２】
以上、本発明の実施形態について説明したが、本発明は、上記した実施形態に限定されることは無く、例えば、以下のように構成することが可能である。  
上記した実施形態では、開閉扉１０は、幅方向に開くように構成したが、前後方向に開くような構成であっても良い。また、スロットマシンを構成する筐体形状は、一例を示したに過ぎず、その形状、構成部材の配置方法については、遊技機に応じて適宜変形することが可能である。また、リールユニット５（遊技装置）の載置台４０に対する据付方法やリールユニット５を構成し、載置台４０に対して装着されるフレーム３０の形状や、載置台４０の形状については、様々な形態にすることが可能である。
【産業上の利用可能性】
【００３３】
本発明は、上述した実施の形態で説明したようなスラント型のスロットマシンの他、開閉扉を開けることで、遊技装置を着脱可能にする様々な遊技機に適用することが可能である。
【図面の簡単な説明】
【００３４】
【図１】本発明に係る遊技機の一例を示す図であり、スロットマシンを示す斜視図。
【図２】図１に示すスロットマシンの開閉扉を開けた状態を示す斜視図。
【図３】リールユニットを筐体内に組み込む状態を示す側面図。
【図４】リールユニットの載置台に対する装着方法の一例を示した模式図。
【図５】図１に示すスロットマシンの開閉扉の閉鎖状態を示す側面図。
【図６】載置台が水平方向に形成されているスラント型遊技機の概略斜視図。
【符号の説明】
【００３５】
１  スロットマシン（遊技機）
２  筐体
５  リールユニット（遊技装置）
１０  開閉扉
３０  フレーム
３０ａ  ベース部
４０  載置台
Ｐ  開口部
Ｓ  内部空間（収容部）
【図１】
2005131372.tif 000003
【図２】
2005131372.tif 000004
【図３】
2005131372.tif 000005
【図４】
2005131372.tif 000006
【図５】
2005131372.tif 000007
【図６】
2005131372.tif 000008